(57)【要約】  伝送路を経由して伝送された信号を受信する受信装置であって、等化部と、前記受信信号の第１の品質値を求める第１の品質算出部とを有する。前記等化部は、第１の推定方式を用いて、前記伝送路の第１の伝送路特性を前記受信信号から推定する第１の伝送路特性推定部と、第２の推定方式を用いて、前記伝送路の第２の伝送路特性を前記受信信号から推定する第２の伝送路特性推定部とを有し、かつ、前記第１又は第２の伝送路特性を用いて前記受信信号を等化して出力する。前記第２の伝送路特性推定部は、前記第１の品質値に従って、前記第２の伝送路特性推定部の少なくとも一部の動作を停止する。
2009069305.tif 000002
【特許請求の範囲】
【請求項１】
伝送路を経由して伝送された信号を受信する受信装置であって、
等化部と、
前記受信信号の第１の品質値を求める第１の品質算出部とを備え、
前記等化部は、
第１の推定方式を用いて、前記伝送路の第１の伝送路特性を前記受信信号から推定する第１の伝送路特性推定部と、
第２の推定方式を用いて、前記伝送路の第２の伝送路特性を前記受信信号から推定する第２の伝送路特性推定部とを有し、かつ、
前記第１又は第２の伝送路特性を用いて前記受信信号を等化して出力し、
前記第２の伝送路特性推定部は、前記第１の品質値に従って、前記第２の伝送路特性推定部の少なくとも一部の動作を停止する
ことを特徴とする受信装置。
【請求項２】
請求項１に記載の受信装置において、
前記等化部は、方式制御部を更に有し、
前記第２の伝送路特性推定部は、所定の複数の推定方式の中から順次指定される前記第２の推定方式に対応する伝送路特性を、前記第２の伝送路特性として求め、
前記方式制御部は、前記第２の伝送路特性に基づいて、前記所定の複数の推定方式のうち、最良の推定方式を選択し、前記選択された推定方式を前記第１の伝送路特性推定部に通知し、
前記第１の伝送路特性推定部は、前記方式制御部から通知された推定方式を前記第１の推定方式として用いて前記第１の伝送路特性を推定し、
前記等化部は、前記第１の伝送路特性を用いて前記受信信号を等化する
ことを特徴とする受信装置。
【請求項３】
請求項２に記載の受信装置において、
前記方式制御部は、前記第１の品質値に従って、前記方式制御部の少なくとも一部の動作を停止する
ことを特徴とする受信装置。
【請求項４】
請求項１に記載の受信装置において、
前記等化部は、
前記第１及び第２の伝送路特性のそれぞれに対応する品質値のいずれが良好な品質値を示すかを判定する品質判定部を有し、かつ、
前記第１及び第２の伝送路特性のうち、前記品質判定部の判定結果が示す伝送路特性を用いて、前記受信信号を等化する
ことを特徴とする受信装置。
【請求項５】
請求項４に記載の受信装置において、
前記品質判定部は、前記第１の品質値に従って、前記品質判定部の少なくとも一部の動作を停止する
ことを特徴とする受信装置。
【請求項６】
請求項４に記載の受信装置において、
前記受信信号及び前記第２の伝送路特性を用いて第２の品質値を算出する第２の品質算出部を更に備え、
前記第１の伝送路特性推定部は、前記第２の品質値に従って、前記第１の伝送路特性推定部の少なくとも一部の動作を停止する
ことを特徴とする受信装置。
【請求項７】
請求項６に記載の受信装置において、
前記第２の伝送路特性推定部は、前記第１の品質値が所定値以上であり、かつ、前記第１の品質値が前記第２の品質値以上である場合には、前記第２の伝送路特性推定部の少なくとも一部の動作を停止し、
前記第１の伝送路特性推定部は、前記第２の品質値が所定値以上であり、かつ、前記第２の品質値が前記第１の品質値より大きい場合には、前記第１の伝送路特性推定部の少なくとも一部の動作を停止する
ことを特徴とする受信装置。
【請求項８】
請求項６に記載の受信装置において、
前記品質判定部は、前記第１及び第２の品質値に従って、前記品質判定部の少なくとも一部の動作を停止する
ことを特徴とする受信装置。
【請求項９】
請求項１に記載の受信装置において、
前記第１の品質算出部は、前記第１の伝送路特性を用いて前記第１の品質値を求める
ことを特徴とする受信装置。
【請求項１０】
請求項１に記載の受信装置において、
前記等化部で等化された信号に対して誤り訂正処理を行い、誤り訂正されたビット数を出力する誤り訂正部を更に備え、
前記第１の品質算出部は、前記誤り訂正されたビット数に基づいて前記第１の品質値を求める
ことを特徴とする受信装置。
【請求項１１】
請求項１に記載の受信装置において、
前記第２の伝送路特性推定部は、前記第１の品質値が所定値以上の場合に、前記第２の伝送路特性推定部の少なくとも一部の動作を停止する
ことを特徴とする受信装置。
【請求項１２】
請求項１に記載の受信装置において、
前記第２の伝送路特性推定部は、前記第２の伝送路特性の推定に用いられる演算器を有し、かつ、
前記演算器へのクロックの供給を停止することによって前記第２の伝送路特性推定部の少なくとも一部の動作を停止する
ことを特徴とする受信装置。
【請求項１３】
請求項１に記載の受信装置において、
前記第２の伝送路特性推定部は、前記第２の伝送路特性の推定に用いられる演算器を有し、かつ、
前記演算器への入力信号のレベルを固定することによって前記第２の伝送路特性推定部の少なくとも一部の動作を停止する
ことを特徴とする受信装置。
【請求項１４】
請求項１に記載の受信装置において、
前記第２の伝送路特性推定部は、前記第２の伝送路特性の推定に用いられる演算器を有し、かつ、
前記演算器の動作を制御するイネーブル信号のレベルを、動作を停止すべきことを示すレベルにすることによって、前記第２の伝送路特性推定部の少なくとも一部の動作を停止する
ことを特徴とする受信装置。
【請求項１５】
伝送路を経由して伝送された信号を受信する受信方法であって、
第１の推定方式を用いて、前記伝送路の第１の伝送路特性を前記受信信号から推定し、
第２の推定方式を用いて、前記伝送路の第２の伝送路特性を前記受信信号から推定し、
前記第１又は第２の伝送路特性を用いて前記受信信号を等化し、
前記受信信号の第１の品質値を求め、
前記第１の品質値に従って、前記第２の伝送路特性を推定する処理の少なくとも一部を停止する
ことを特徴とする受信方法。
【発明の詳細な説明】
【技術分野】
【０００１】
本発明は、デジタル変調された信号を受信して復調する受信装置に関する。
【背景技術】
【０００２】
日本及び欧州での地上デジタルテレビジョン放送においては、伝送方式としてＯＦＤＭ（Orthogonal Frequency Division Multiplexing）が用いられている。ＯＦＤＭでは、互いに直交する複数の搬送波（キャリア）によって、映像や音声などの情報が伝送される。【０００３】
一般にＯＦＤＭでは、伝送されるデータに加えて、分散パイロット信号（ＳＰ：Scattered Pilot）が送信される。その一例として、図２は、日本の地上デジタルテレビジョン放送方式における伝送フォーマットの一部を示している。図２において、白丸はデータキャリア、黒丸はＳＰを示す。ＳＰの振幅、位相、挿入位置は既知であるので、受信側ではこのＳＰを用いて伝送路で生じたマルチパスなどによる歪の影響（伝送路特性）を推定し、この影響を除去すること（等化）が一般的に行われている。【０００４】
ＳＰを用いてデータキャリアに対応する等化を行う場合には、受信したＯＦＤＭ信号をＦＦＴ（Fast Fourier Transform）によって周波数領域の信号に変換し、既知であるＳＰに対応する伝送路特性を求める。更に、ＳＰに対応する伝送路特性をフィルタにより補間してＳＰ間の各データキャリアに対応する伝送路特性を推定し、求められた伝送路特性によって周波数領域のＯＦＤＭ信号を除算することが行われている。【０００５】
伝送路特性の推定方式としては次のような方式が知られている。
（Ｉ）シンボル方向（時間方向）にいったん補間した後に、キャリア方向（周波数方向）に補間する方式。
（ＩＩ）キャリア方向（周波数方向）のみの補間を行う方式。【０００６】
ところで、補間方法及び補間に用いるフィルタの特性によっては、加法性白色ガウス雑音（ＡＷＧＮ：Additive White Gaussian Noise）、マルチパス、フェージングなどの条件が異なる受信環境ごとに、伝送路特性の推定結果が大きく異なる場合がある。【０００７】
このため、想定される様々な受信環境にそれぞれが適した複数の補間方法やフィルタを受信側で予め用意しておき、受信環境に応じてこれらの補間方法やフィルタの中から最適なものを選択し、等化処理に用いる技術が知られている。【０００８】
例えば特許文献１には、前記（Ｉ）及び（ＩＩ）にそれぞれ対応する伝送路特性の推定手段を有し、これらを状態に応じて適宜切り替えて用いる受信装置が記載されている。【０００９】
特許文献２には、前記（Ｉ）に対応する伝送路特性の推定手段において、キャリア方向の補間フィルタとして特性の異なる複数のフィルタを有し、これらを状態に応じて適宜切り替えて用いる技術が記載されている。
【特許文献１】特開２００６−１４０９８７号公報
【特許文献２】特開２００６−３１１３８５号公報
【発明の開示】
【発明が解決しようとする課題】
【００１０】
しかしながら、複数の伝送路特性の推定手段が同時に動作すると、受信装置の消費電力が大きくなってしまう。また、伝送路特性の推定手段の個数が増えるに連れてこの傾向は高くなる。このことは、このような受信装置が例えば携帯受信機に用いられる場合には、バッテリーの持続時間を減少させる原因となる。【００１１】
本発明は、伝送路特性を複数の方式で推定することができる受信装置において、受信性能を保ちながら消費電力を削減することを目的とする。
【課題を解決するための手段】
【００１２】
本発明の例示的実施形態に係る受信装置は、伝送路を経由して伝送された信号を受信する受信装置であって、等化部と、前記受信信号の第１の品質値を求める第１の品質算出部とを有する。前記等化部は、第１の推定方式を用いて、前記伝送路の第１の伝送路特性を前記受信信号から推定する第１の伝送路特性推定部と、第２の推定方式を用いて、前記伝送路の第２の伝送路特性を前記受信信号から推定する第２の伝送路特性推定部とを有し、かつ、前記第１又は第２の伝送路特性を用いて前記受信信号を等化して出力する。前記第２の伝送路特性推定部は、前記第１の品質値に従って、前記第２の伝送路特性推定部の少なくとも一部の動作を停止する。【００１３】
これによると、受信信号の品質値に従って第２の伝送路特性推定部がその少なくとも一部の動作を停止するので、動作する必要がない場合にのみ、第２の伝送路特性推定部を停止させることが可能になり、受信装置の受信性能を保ちながら消費電力を削減することができる。【００１４】
本発明の例示的実施形態に係る受信方法は、伝送路を経由して伝送された信号を受信する受信方法であって、第１の推定方式を用いて、前記伝送路の第１の伝送路特性を前記受信信号から推定し、第２の推定方式を用いて、前記伝送路の第２の伝送路特性を前記受信信号から推定し、前記第１又は第２の伝送路特性を用いて前記受信信号を等化し、前記受信信号の第１の品質値を求め、前記第１の品質値に従って、前記第２の伝送路特性を推定する処理の少なくとも一部を停止する。
【発明の効果】
【００１５】
本発明の例示的実施形態によれば、受信性能を保ちながら消費電力を削減することを低コストで行うことができる。
【図面の簡単な説明】
【００１６】
【図１】図１は、本発明の第１の実施形態に係る受信装置の構成を示すブロック図である。
【図２】図２は、ＯＦＤＭ信号の伝送フォーマットの一例を示す説明図である。
【図３】図３は、図１の動作制御部に制御される伝送路特性推定部が有する演算器の例を示すブロック図である。
【図４】図４は、本発明の第１の実施形態の変形例に係る受信装置の構成を示すブロック図である。
【図５】図５は、本発明の第２の実施形態に係る受信装置の構成を示すブロック図である。
【図６】図６は、本発明の第２の実施形態の変形例に係る受信装置の構成を示すブロック図である。
【図７】図７は、本発明の第３の実施形態に係る受信装置の構成を示すブロック図である。
【符号の説明】
【００１７】
６，２０６，３０６  等化部
７，７Ｂ  誤り訂正部
１２，１２Ｂ，２１２，２１２Ｂ，３１２，３１３  品質算出部
１４，２１４，３１４  動作制御部
６１，６２，２６１，２６２，３６１，３６２  伝送路特性推定部
６３，２６３，２６４，３６３，３６４  除算部
６４  方式制御部
２６５，３６５  品質判定部
２６６，３６６  選択部
【発明を実施するための最良の形態】
【００１８】
以下、本発明の実施の形態について、図面を参照しながら説明する。【００１９】
（第１の実施形態）
図１は、本発明の第１の実施形態に係る受信装置の構成を示すブロック図である。図１の受信装置は、チューナ２と、Ａ／Ｄ変換部３と、直交復調部４と、ＦＦＴ部５と、等化部６と、誤り訂正部７と、情報源復号部８と、出力部９と、品質算出部１２と、動作制御部１４とを有している。【００２０】
アンテナ１は、送信アンテナとアンテナ１との間の伝送路を経由して伝送されたＲＦ（Radio Frequency）帯のＯＦＤＭ信号を受信し、この受信信号をチューナ２へ供給する。チューナ２はアンテナ１より供給されたＲＦ帯のＯＦＤＭ信号から所望のチャネルのＯＦＤＭ信号を抽出し、更に抽出されたＯＦＤＭ信号を周波数変換して、得られたＩＦ帯のＯＦＤＭ信号をＡ／Ｄ変換部３に出力する。Ａ／Ｄ変換部３は、チューナ２から出力されたＩＦ帯のＯＦＤＭ信号に対してアナログ信号からデジタル信号への変換を行って、直交復調部４に出力する。【００２１】
直交復調部４は、Ａ／Ｄ変換部３から出力されたデジタル化されたＩＦ帯のＯＦＤＭ信号に対して周波数変換を行い、その結果をベースバンドのＯＦＤＭ信号としてＦＦＴ部５に出力する。ＦＦＴ部５は、直交復調部４から出力されたベースバンドのＯＦＤＭ信号に対して、ＦＦＴ（高速フーリエ変換）によって時間領域の信号から周波数領域の信号への変換を行い、その結果を周波数領域のＯＦＤＭ信号ＦＳとして等化部６に出力する。【００２２】
図２は、ＯＦＤＭ信号の伝送フォーマットの一例を示す説明図である。図２は、周波数領域のＯＦＤＭ信号をシンボル単位で示しており、白丸はデータキャリアＤＴ、黒丸はＳＰ（Scattered Pilot）を示す。【００２３】
等化部６は、受信した信号が経てきた伝送路の周波数特性（以下、伝送路特性と呼ぶ）を推定し、推定された伝送路特性を用いて、ＦＦＴ部５から出力された周波数領域のＯＦＤＭ信号ＦＳからマルチパス、フェージング等に起因する波形歪を除去（等化）する。等化部６は、等化して得られた結果を等化信号として誤り訂正部７に出力し、処理に用いた信号の一部を品質算出部１２に出力する。【００２４】
品質算出部１２は、等化部６から出力された信号に従って、受信信号の品質値を算出する。本実施形態では、周波数領域のＯＦＤＭ信号ＦＳと等化部６で推定された伝送路特性とに基づいて品質値を求め、動作制御部１４に出力する。動作制御部１４は、品質算出部１２から出力された品質値に応じて動作制御信号ＣＴを生成し、等化部６に出力する。等化部６は、その構成要素の一部の動作を動作制御信号ＣＴに従って停止する。【００２５】
誤り訂正部７は、等化部６から出力された等化信号に対してデマッピング、デインターリーブ、ビタビ復号、リードソロモン復号などの各種誤り訂正処理を行い、得られた結果をトランスポートストリームとして情報源復号部８に出力する。情報源復号部８は、誤り訂正部７から出力されたトランスポートストリームを、映像ストリームや音声ストリーム、更にその他のデータストリームに分離し、これらのストリームがＭＰＥＧ（Moving Picture Experts Group）符号化などによって圧縮されている場合には伸張処理を行い、その結果を映像信号、音声信号及びその他のデータとして出力部９に出力する。出力部９は、ディスプレイ及びスピーカーを有しており、情報源復号部８から出力された映像信号のディスプレイへの表示、音声信号のスピーカーへの出力、及びその他のデータの外部装置への出力を行う。【００２６】
図１の受信装置について更に詳細に説明する。等化部６は、伝送路特性推定部６１及び６２と、除算部６３と、方式制御部６４とを有している。方式制御部６４は、所定の複数の伝送路特性推定方式の中から１つを指定する方式制御信号ＥＣ２を伝送路特性推定部６２に出力する。【００２７】
伝送路特性推定部６２は、方式制御部６４から出力された方式制御信号ＥＣ２に従って、所定の複数の推定方式の中から１つを選択し、データキャリアに対応する伝送路特性を、選択された推定方式を用いて受信信号（周波数領域のＯＦＤＭ信号ＦＳ）からフィルタ等を用いて推定する。伝送路特性推定部６２は、推定された伝送路特性ＣＲ２を方式制御部６４に出力する。【００２８】
方式制御部６４は、受け取った伝送路特性ＣＲ２と周波数領域のＯＦＤＭ信号ＦＳとを用いて、伝送路特性推定部６２に指定した推定方式に対応する品質値を算出する。方式制御部６４は、例えば、周波数領域のＯＦＤＭ信号ＦＳを伝送路特性ＣＲ２で等化し、得られた信号について、信号点の基準点からの分散を品質値として求める。本明細書において、信号点の基準点とは、直交座標平面上における理想シンボル点のことである。【００２９】
方式制御部６４は、指定する推定方式を順次切り替えながら以上のような動作を繰り返す。すなわち、伝送路特性推定部６２は、所定の複数の推定方式の中から順次指定される推定方式に対応する伝送路特性を求める。方式制御部６４は、指定された複数の推定方式のそれぞれに対応する品質値を算出する。方式制御部６４は、すべての推定方式のそれぞれに対応する品質値を算出し終えると、それらの中で最も良好な品質値に対応する推定方式を選択し、この選択された推定方式を指定する方式制御信号ＥＣ１を出力することによって、選択された推定方式を伝送路特性推定部６１に通知する。言い換えると、方式制御部６４は、伝送路特性推定部６２で求められた伝送路特性に基づいて、所定の複数の推定方式のうち、最良の推定方式を選択し、選択された推定方式を伝送路特性推定部６１に通知する。【００３０】
伝送路特性推定部６１は、方式制御部６４から出力された方式制御信号ＥＣ１に従って、所定の複数の推定方式の中から通知された１つを選択し、データキャリアに対応する伝送路特性を、選択された推定方式を用いて受信信号（周波数領域のＯＦＤＭ信号ＦＳ）からフィルタ等を用いて推定する。伝送路特性推定部６１は、推定された伝送路特性ＣＲ１を除算部６３及び品質算出部１２に出力する。【００３１】
除算部６３は、周波数領域のＯＦＤＭ信号ＦＳを、伝送路特性推定部６１から出力された伝送路特性ＣＲ１で除算することにより、等化、すなわち伝送路で生じた波形歪の除去を行う。除算部６３は、等化の結果を等化信号として誤り訂正部７に出力する。なお、ＯＦＤＭ信号ＦＳの変調方式が、ＱＰＳＫ（Quaternary Phase Shift Keying）のように振幅で情報が伝送されない変調方式である場合には、伝送路特性ＣＲ１で除算する代わりに、伝送路特性ＣＲ１の共役複素数を乗算するようにしてもよい。この場合には、除算部６３を省略することができる。【００３２】
伝送路特性推定部６１，６２において用いられる伝送路特性の推定方式は、いずれも基本的には、まず受信信号に含まれるＳＰに対応する伝送路特性を求め、ＳＰに対応する伝送路特性をシンボル方向（時間方向）及びキャリア方向（周波数方向）に補間することによりデータキャリアに対する伝送路特性を求める方式である。なお、シンボル方向の補間をせずキャリア方向の補間のみを行ってもよい。推定方式としては、想定される様々な伝送路状況にそれぞれ適した複数の方式の中から推定特性の互いに異なる（例えばフィルタ係数等が互いに異なる）方式を選んでおくのがよい。【００３３】
例えば、シンボル方向の補間フィルタの特性が異なる複数の方式、キャリア方向の補間フィルタの特性が異なる複数の方式、及びシンボル方向の補間をせずキャリア方向の補間のみを行う方式などから、想定される伝送路状況に適した複数の方式を選択しておく。すると、様々な受信環境に応じた適切な伝送路特性の推定方式が選択され、適切に求められた伝送路特性による等化が行われるので、高い復調及び誤り訂正能力が得られる。【００３４】
品質算出部１２は、伝送路特性推定部６１で推定された伝送路特性ＣＲ１及び周波数領域のＯＦＤＭ信号ＦＳとから受信信号の品質値を算出し、算出結果を動作制御部１４に出力する。品質算出部１２は、例えば、周波数領域のＯＦＤＭ信号ＦＳを伝送路特性ＣＲ１で等化し、得られた信号について、信号点の基準点からの分散を品質値として求める。この場合、品質値を求めるための装置コストは大きくない。除算部６３で等化に用いられる伝送路特性ＣＲ１を用いて品質値が求められるので、安定した品質値の算出が可能となる。【００３５】
動作制御部１４は、品質算出部１２から出力された品質値が所定値以上である場合には、受信信号の品質が良好であると判定し、動作停止を指示する動作制御信号ＣＴを生成し、伝送路特性推定部６２及び方式制御部６４に出力する。【００３６】
伝送路特性推定部６２は、演算器を有している。伝送路特性推定部６２は、動作制御信号ＣＴが動作停止を指示している場合には、少なくとも一部の動作を停止する。すなわちこの場合、伝送路特性推定部６２は、伝送路特性の推定に必要なフィルタ演算などの処理を停止したり、演算器に供給するクロックを停止したり、あるいはフィルタ演算のための演算器への入力信号のレベルを（例えば値０を表すレベルに）固定する。【００３７】
図３は、図１の動作制御部に制御される伝送路特性推定部６２が有する演算器の例を示すブロック図である。図３の演算器６８は、伝送路特性の推定のためのフィルタ演算を行う演算器であって、ｎ個（ｎは自然数）の遅延器Ｄ１，Ｄ２，…，Ｄｎと、ｎ＋１個の乗算器Ｘ１，Ｘ２，…，Ｘｎ＋１と、加算器Ｓ１とを有している。遅延器Ｄ１〜Ｄｎのそれぞれには、イネーブル信号ＥＮＳとクロックＣＬＫとが入力されている。【００３８】
遅延器Ｄ１はフィルタ入力データＦＩを遅延させ、次段の遅延器Ｄ２に出力する。遅延器Ｄ２は遅延器Ｄ１の出力データを遅延させ、次段の遅延器に出力する。その他の遅延器も同様に前段の遅延器の出力を遅延させて出力する。乗算器Ｘ１〜Ｘｎ＋１には、フィルタ係数Ｃ１〜Ｃｎ＋１がそれぞれ対応している。乗算器Ｘ２〜Ｘｎ＋１には、遅延器Ｄ１〜Ｄｎの出力がそれぞれ入力されている。乗算器Ｘ１は、フィルタ入力データＦＩとフィルタ係数Ｃ１との乗算を行い、得られた積を加算器Ｓ１に出力する。乗算器Ｘ２〜Ｘｎ＋１は、それぞれに入力された遅延器Ｄ１〜Ｄｎの出力と、それぞれに対応するフィルタ係数Ｃ２〜Ｃｎ＋１との乗算を行い、得られた積を加算器Ｓ１に出力する。加算器Ｓ１は、各乗算器Ｘ１〜Ｘｎ＋１からの積の総和を求め、その結果をフィルタ出力データＦＲとして出力する。【００３９】
伝送路特性推定部６２は、動作制御信号ＣＴが動作停止を指示している場合には、例えば、遅延器Ｄ１〜Ｄｎの動作を制御するイネーブル信号ＥＮＳのレベルを、動作を停止すべきことを示すレベルにしたり、遅延器Ｄ１〜ＤｎへのクロックＣＬＫの供給を停止したり、フィルタ入力データＦＩを固定する（例えば０に固定する）。すると、演算器６８の各構成要素の動作を停止させることができ、その結果、伝送路特性推定部６２が消費する電力を低減させることができる。【００４０】
方式制御部６４は、演算器を有している。同様に、方式制御部６４は、動作制御信号ＣＴが動作停止を指示している場合には、少なくとも一部の動作を停止する。すなわちこの場合、方式制御部６４は、品質値の算出演算などの処理を停止したり、演算器に供給するクロックを停止したり、あるいは品質値の算出演算のために演算器に入力される入力信号のレベルを（例えば値０を表すレベルに）固定する。方式制御部６４の演算器も、例えば図３の演算器と同様に構成されており、図３の演算器と同様に制御される。【００４１】
また、ＡＷＧＮ、マルチパスなどの外乱が伝送路に存在する場合や、移動受信時には、品質算出部１２から出力される品質値が所定値未満となることがある。この場合には、動作制御部１４は、受信信号の品質が良好ではないと判定し、動作するように指示する動作制御信号ＣＴを生成する。このとき、伝送路特性推定部６２及び方式制御部６４は、通常通り演算などの処理を行う。伝送路特性推定部６２及び方式制御部６４によって伝送路状態に応じた適切な伝送路特性の推定方式が決定され、その推定方式によって求められた伝送路特性を用いて除算部６３が等化を行うので、等化された信号の質を保ち、誤りを抑えることができる。【００４２】
以上のように本実施形態によると、伝送路の状態が比較的良好な場合には、品質算出部１２は品質値が良好であると判定し、動作制御部１４では動作停止を指示する動作制御信号ＣＴが生成される。このとき、伝送路特性推定部６２及び方式制御部６４は、演算器の動作の停止、又は演算器の動作の実効的な停止をするので、演算などの処理に要する消費電力を低減することができる。【００４３】
（第１の実施形態の変形例）
図４は、本発明の第１の実施形態の変形例に係る受信装置の構成を示すブロック図である。図４の受信装置は、誤り訂正部７及び品質算出部１２に代えて誤り訂正部７Ｂ及び品質算出部１２Ｂを有する点が、図１の受信装置とは異なっている。誤り訂正部７Ｂは、誤り訂正されたビットの数を訂正ビット数ＣＢとして品質算出部１２Ｂに出力する。誤り訂正部７Ｂは、その他の点は誤り訂正部７と同様に動作する。【００４４】
品質算出部１２Ｂは、訂正ビット数ＣＢを積算し、得られた積算値に基づいて受信信号の品質値を求め、動作制御部１４に出力する。品質算出部１２Ｂは、例えば、積算値が所定値未満である場合には品質値を閾値以上の値とし、積算値が所定値以上である場合には品質値を閾値未満の値とする。ここで、品質算出部１２Ｂは、積算値のみに基づいて品質値を求めてもよいし、品質算出部１２と同様に、伝送路特性推定部６１で推定された伝送路特性ＣＲ１及び周波数領域のＯＦＤＭ信号ＦＳとから受信信号の品質値を算出し、この品質値と積算値に基づく品質値とのうちの小さい方の値を出力してもよい。【００４５】
訂正ビット数ＣＢに基づいて求められた品質値には、ＯＦＤＭ信号で伝送された映像等の情報の品質が反映されやすいので、図４の受信装置によると、より品質の高い映像等の情報を得ることができる。【００４６】
（第２の実施形態）
図５は、本発明の第２の実施形態に係る受信装置の構成を示すブロック図である。図５の受信装置は、等化部６、品質算出部１２及び動作制御部１４に代えて、等化部２０６、品質算出部２１２及び動作制御部２１４を有する点が、図１の受信装置とは異なっている。その他の構成要素については図１の受信装置と同様であるので、同一の参照番号を付してその説明を省略する。【００４７】
図５の等化部２０６は、伝送路特性推定部２６１，２６２と、除算部２６３，２６４と、品質判定部２６５と、選択部２６６とを有している。伝送路特性推定部２６１と伝送路特性推定部２６２とは、互いに異なる所定の推定方式を用いて受信信号（周波数領域のＯＦＤＭ信号ＦＳ）からデータキャリアに対応する伝送路特性ＣＲ２１，ＣＲ２２をそれぞれ算出する。【００４８】
除算部２６３は、ＦＦＴ部５から出力された周波数領域のＯＦＤＭ信号ＦＳを伝送路特性ＣＲ２１で除することにより等化、すなわち伝送路で生じた波形歪の除去を行う。除算部２６３は、等化の結果を等化信号ＥＳ１として選択部２６６に出力する。除算部２６４は、周波数領域のＯＦＤＭ信号ＦＳを伝送路特性ＣＲ２２で除することにより等化し、その結果を等化信号ＥＳ２として選択部２６６に出力する。【００４９】
品質判定部２６５は、まず、周波数領域のＯＦＤＭ信号ＦＳと伝送路特性ＣＲ２１とから、伝送路特性ＣＲ２１に対応する、受信信号の品質値を算出する。品質判定部２６５は、同様に、周波数領域のＯＦＤＭ信号ＦＳと伝送路特性ＣＲ２２とから、伝送路特性ＣＲ２２に対応する、受信信号の品質値を算出する。この際、品質判定部２６５は、例えば、周波数領域のＯＦＤＭ信号ＦＳを伝送路特性ＣＲ２１又はＣＲ２２で等化し、得られた信号について、信号点の基準点からの分散を品質値として求める。【００５０】
更に品質判定部２６５は、伝送路特性ＣＲ２１，ＣＲ２２のそれぞれに対応する品質値のいずれが良好な品質値を示すかを判定し、伝送路特性ＣＲ２１，ＣＲ２２のうち良い方の品質値に対応するものを示す選択信号を選択部２６６に出力する。選択部２６６は、等化信号ＥＳ１，ＥＳ２のうち、品質判定部２６５から出力された選択信号が示す伝送路特性を用いて求められた方を選択し、選択結果を等化信号として誤り訂正部７に出力する。言い換えると、等化部２０６は、伝送路特性ＣＲ２１，ＣＲ２２のうち、品質判定部２６５の判定結果が示す伝送路特性を用いて、受信信号を等化する。【００５１】
伝送路特性推定部２６１，２６２において用いられる伝送路特性の推定方式は、いずれも基本的には、まず受信信号に含まれるＳＰに対応する伝送路特性を求め、ＳＰに対応する伝送路特性をシンボル方向及びキャリア方向に補間することによりデータキャリアに対する伝送路特性を求める方式である。なお、シンボル方向の補間をせずキャリア方向の補間のみを行ってもよい。推定方式としては、想定される様々な伝送路状況にそれぞれ適した複数の方式の中から推定特性の互いに異なる（例えばフィルタ係数等が互いに異なる）方式を選んでおくのがよい。【００５２】
例えば、シンボル方向の補間フィルタの特性が異なる複数の方式、キャリア方向の補間フィルタの特性が異なる複数の方式、及びシンボル方向の補間をせずキャリア方向の補間のみを行う方式などから、想定される伝送路状況に適した互いに異なる方式を伝送路特性推定部２６１，２６２のそれぞれのために１方式ずつ選択しておく。すると、様々な受信環境に応じた適切な伝送路特性の推定方式が選択され、適切に求められた伝送路特性による等化が行われるので、高い復調及び誤り訂正能力が得られる。【００５３】
品質算出部２１２は、伝送路特性推定部２６１で推定された伝送路特性ＣＲ２１及び周波数領域のＯＦＤＭ信号ＦＳとから、図１の品質算出部１２と同様に受信信号の品質値を算出し、算出結果を動作制御部２１４に出力する。【００５４】
動作制御部２１４は、品質算出部２１２から出力される品質値が所定値以上である場合には、受信信号の品質が良好であると判定し、動作停止を指示する動作制御信号ＣＴ２を生成し、伝送路特性推定部２６２、除算部２６４及び品質判定部２６５に出力する。動作制御信号ＣＴ２が動作停止を指示する場合には、品質判定部２６５は、伝送路特性ＣＲ２１を示す選択信号を選択部２６６に出力する。【００５５】
伝送路特性推定部２６２は、演算器を有している。伝送路特性推定部２６２は、動作制御信号ＣＴ２が動作停止を指示している場合には、少なくとも一部の動作を停止する。すなわちこの場合、伝送路特性推定部６２は、伝送路特性の推定に必要なフィルタ演算などの処理を停止したり、演算器に供給するクロックを停止したり、あるいはフィルタ演算のための演算器への入力信号のレベルを（例えば値０を表すレベルに）固定する。【００５６】
除算部２６４は、演算器を有している。同様に、除算部２６４は、動作制御信号ＣＴ２が動作停止を指示している場合には、少なくとも一部の動作を停止する。すなわちこの場合、除算部２６４は、除算処理を停止したり、演算器に供給するクロックを停止したり、あるいは除算のために演算器に入力される入力信号のレベルを（例えば値０を表すレベルに）固定する。【００５７】
品質判定部２６５は、演算器を有している。同様に、品質判定部２６５は、動作制御信号ＣＴ２が動作停止を指示している場合には、少なくとも一部の動作を停止する。すなわちこの場合、品質判定部２６５は、品質値の算出演算などの処理を停止したり、演算器に供給するクロックを停止したり、あるいは品質値の算出演算のために演算器に入力される入力信号のレベルを（例えば値０を表すレベルに）固定する。伝送路特性推定部２６２、除算部２６４、及び品質判定部２６５の演算器も、例えば図３の演算器と同様に構成されており、図３の演算器と同様に制御される。【００５８】
品質算出部２１２から出力される品質値が所定値未満となる場合には、動作制御部２１４は、伝送路特性ＣＲ２１を用いることが適切ではないと判定し、動作するように指示する動作制御信号ＣＴ２を生成する。このとき、伝送路特性推定部２６２、除算部２６４及び品質判定部２６５は、通常通り演算などの処理を行う。品質判定部２６５によって伝送路状態に応じた適切な伝送路特性の推定方式が決定され、その推定方式によって求められた伝送路特性を用いて等化された信号が選択されるので、等化された信号の質を保ち、誤りを抑えることができる。【００５９】
以上のように本実施形態によると、伝送路の状態が比較的良好な場合には、品質算出部２１２は品質値が良好であると判定し、動作制御部１４では動作停止を指示する動作制御信号ＣＴ２が生成される。このとき、伝送路特性推定部２６２、除算部２６４及び品質判定部２６５は、演算器の動作の停止、又は演算器の動作の実効的な停止をするので、演算などの処理に要する消費電力を低減することができる。【００６０】
なお、本実施形態では、受信装置が２個の伝送路特性推定部２６１，２６２を有する場合について説明したが、受信装置が３個以上の伝送路特性推定部を有していてもよい。この場合、受信装置が、伝送路特性推定部と同数の除算部と、品質判定部２６５と同様に複数の伝送路特性推定部から選択を行う品質判定部とを有するようにすればよい。【００６１】
また、本実施形態では、選択部２６６が除算部２６３，２６４の出力の一方を選択する場合について説明したが、等化部２０６が、伝送路特性ＣＲ２１，ＣＲ２２の一方を品質判定部２６５から出力される選択信号に従って選択し、選択された伝送路特性で周波数領域のＯＦＤＭ信号ＦＳを除算するようにしてもよい。【００６２】
（第２の実施形態の変形例）
図６は、本発明の第２の実施形態の変形例に係る受信装置の構成を示すブロック図である。図６の受信装置は、誤り訂正部７及び品質算出部２１２に代えて誤り訂正部７Ｂ及び品質算出部２１２Ｂを有する点が、図５の受信装置とは異なっている。誤り訂正部７Ｂは、図４を参照して説明したものと同様に構成されている。【００６３】
品質算出部２１２Ｂは、訂正ビット数ＣＢを積算し、得られた積算値に基づいて受信信号の品質値を求め、動作制御部２１４に出力する。品質算出部２１２Ｂは、例えば、積算値が所定値未満である場合には品質値を閾値以上の値とし、積算値が所定値以上である場合には品質値を閾値未満の値とする。ここで、品質算出部２１２Ｂは、積算値のみに基づいて品質値を求めてもよいし、品質算出部２１２と同様に、伝送路特性推定部２６１で推定された伝送路特性ＣＲ２１及び周波数領域のＯＦＤＭ信号ＦＳとから受信信号の品質値を算出し、この品質値と積算値に基づく品質値とのうちの小さい方の値を出力してもよい。【００６４】
訂正ビット数ＣＢに基づいて求められた品質値には、ＯＦＤＭ信号で伝送された映像等の情報の品質が反映されやすいので、図６の受信装置によると、より品質の高い映像等の情報を得ることができる。【００６５】
（第３の実施形態）
図７は、本発明の第３の実施形態に係る受信装置の構成を示すブロック図である。図７の受信装置は、等化部６、品質算出部１２及び動作制御部１４に代えて、等化部３０６、品質算出部３１２，３１３及び動作制御部３１４を有する点が、図１の受信装置とは異なっている。その他の構成要素については図１の受信装置と同様であるので、同一の参照番号を付してその説明を省略する。【００６６】
図７の等化部３０６は、伝送路特性推定部３６１，３６２と、除算部３６３，３６４と、品質判定部３６５と、選択部３６６とを有している。伝送路特性推定部３６１と伝送路特性推定部３６２とは、互いに異なる所定の推定方式を用いて受信信号（周波数領域のＯＦＤＭ信号ＦＳ）からデータキャリアに対応する伝送路特性ＣＲ３１，ＣＲ３２をそれぞれ算出する。【００６７】
除算部３６３は、ＦＦＴ部５から出力された周波数領域のＯＦＤＭ信号ＦＳを伝送路特性ＣＲ３１で除することにより等化、すなわち伝送路で生じた波形歪の除去を行う。除算部３６３は、等化の結果を等化信号ＥＳ３１として選択部３６６に出力する。除算部３６４は、周波数領域のＯＦＤＭ信号ＦＳを伝送路特性ＣＲ３２で除することにより等化し、その結果を等化信号ＥＳ３２として選択部３６６に出力する。【００６８】
品質判定部３６５は、伝送路特性ＣＲ２１，ＣＲ２２に代えて伝送路特性ＣＲ３１，ＣＲ３２を用いて、図５の品質判定部２６５と同様に品質値を算出し、伝送路特性ＣＲ３１，ＣＲ３２のうち良い方の品質値に対応するものを示す選択信号を選択部３６６に出力する。選択部３６６は、等化信号ＥＳ３１，ＥＳ３２のうち、品質判定部３６５から出力された選択信号が示す伝送路特性を用いて求められた方を選択し、選択結果を等化信号として誤り訂正部７に出力する。【００６９】
伝送路特性推定部３６１，３６２において用いられる伝送路特性の推定方式は、図５の伝送路特性推定部２６１，２６２と同様に選択される。【００７０】
品質算出部３１２は、伝送路特性推定部３６１で推定された伝送路特性ＣＲ３１及び周波数領域のＯＦＤＭ信号ＦＳとから、図１の品質算出部１２と同様に受信信号の品質値ＱＡを算出し、算出結果を動作制御部３１４に出力する。品質算出部３１３は、伝送路特性推定部３６２で推定された伝送路特性ＣＲ３２及び周波数領域のＯＦＤＭ信号ＦＳとから、図１の品質算出部１２と同様に受信信号の品質値ＱＢを算出し、算出結果を動作制御部３１４に出力する。【００７１】
動作制御部３１４は、品質算出部３１２，３１３から出力された品質値ＱＡ，ＱＢのいずれかが所定値以上である場合には、受信信号の品質が良好であると判定し、伝送路特性推定部３６１，３６２及び除算部３６３，３６４のうち、悪い方の品質値に対応するものと、品質判定部３６５との少なくとも一部を停止させるように動作制御信号を生成する。すなわち、動作制御部３１４は、品質値ＱＢが所定値以上であり、品質値ＱＢが品質値ＱＡより大きい場合には、動作停止を指示する動作制御信号ＣＴ３１，ＣＴ３３を生成し、品質値ＱＡが所定値以上であり、品質値ＱＡが品質値ＱＢ以上である場合には、動作停止を指示する動作制御信号ＣＴ３２，ＣＴ３３を生成する。【００７２】
伝送路特性推定部３６１及び除算部３６３は、演算器を有している。伝送路特性推定部３６１及び除算部３６３は、動作制御信号ＣＴ３１が動作停止を指示している場合には、図５の伝送路特性推定部２６２及び除算部２６４と同様に少なくとも一部の動作を停止する。伝送路特性推定部３６２及び除算部３６４は、演算器を有している。伝送路特性推定部３６２及び除算部３６４は、動作制御信号ＣＴ３２が動作停止を指示している場合には、図５の伝送路特性推定部２６２及び除算部２６４と同様に少なくとも一部の動作を停止する。【００７３】
品質判定部３６５は、演算器を有している。品質判定部３６５は、動作制御信号ＣＴ３３が動作停止を指示している場合には、図５の品質判定部２６５と同様に少なくとも一部の動作を停止する。特に、品質値ＱＢが所定値以上であり、品質値ＱＢが品質値ＱＡより大きい場合には、伝送路特性推定部３６１に対応する動作を停止するように指示する動作制御信号ＣＴ３３が出力されるので、品質判定部３６５は、伝送路特性推定部３６１に対応する品質値の算出動作を停止する。また、品質値ＱＡが所定値以上であり、品質値ＱＡが品質値ＱＢ以上である場合には、伝送路特性推定部３６３に対応する動作を停止するように指示する動作制御信号ＣＴ３３が出力されるので、品質判定部３６５は、伝送路特性推定部３６３に対応する品質値の算出動作を停止する。【００７４】
品質値ＱＡ，ＱＢのうち、動作を継続している伝送路特性推定部に対応する品質値が所定値未満となる場合には、動作制御部３１４は、その伝送路特性推定部で求められた伝送路特性を用いることが適切ではないと判定し、動作するように指示する動作制御信号ＣＴ３１，ＣＴ３２，ＣＴ３３を生成する。このとき、伝送路特性推定部３６１，３６２、除算部３６３，２６４及び品質判定部３６５は、通常通り演算などの処理を行う。品質判定部３６５によって伝送路状態に応じた適切な伝送路特性の推定方式が決定され、その推定方式によって求められた伝送路特性を用いて等化された信号が選択されるので、等化された信号の質を保ち、誤りを抑えることができる。【００７５】
以上のように本実施形態によると、伝送路の状態が比較的良好な場合には、演算などの処理に要する消費電力を低減することができる。更に、動作を継続させる伝送路特性推定部として、伝送路特性推定部３６１，３６２のうちのいずれを選択することもできるので、常に適切な伝送路特性を等化に用いることができる。【００７６】
なお、本実施形態では、受信装置が２個の伝送路特性推定部３６１，３６２を有する場合について説明したが、受信装置が３個以上の伝送路特性推定部を有していてもよい。この場合、受信装置が、伝送路特性推定部と同数の除算部及び品質算出部と、品質判定部３６５と同様に複数の伝送路特性推定部から選択を行う品質判定部とを有するようにすればよい。【００７７】
また、本実施形態では、選択部３６６が除算部３６３，３６４の出力の一方を選択する場合について説明したが、等化部３０６が、伝送路特性ＣＲ３１，ＣＲ３２の一方を品質判定部３６５から出力される選択信号に従って選択し、選択された伝送路特性で周波数領域のＯＦＤＭ信号ＦＳを除算するようにしてもよい。【００７８】
また、以上の各実施形態では、一例としてＯＦＤＭ信号を受信する受信装置について説明したが、伝送路特性の推定手段を複数有して受信する受信装置であれば、他の形式の信号を受信する受信装置であってもよい。また、パイロット信号を用いずに伝送路特性を求めるようにしてもよい。【００７９】
また、第１〜第３の実施形態の受信装置が、動作制御信号を生成する際の品質値に対する判定の条件を、受信する信号の伝送方式（すなわち、変調方式や誤り訂正符号化率など）に応じて適切に切り替えるようにしてもよい。【００８０】
例として、受信装置が、ＱＰＳＫ変調信号及び１６ＱＡＭ（Quadrature Amplitude Modulation）変調信号のうちのいずれかを受信する場合について説明する。一般に、１６ＱＡＭ変調信号に比べて、ＱＰＳＫ変調信号は外乱に対する耐性が高い。このため、得られた品質値が同じであっても、受信された信号がＱＰＳＫ変調信号であれば伝送路特性の推定手段の動作を停止できるが、受信された信号が１６ＱＡＭ変調信号であれば停止できない場合がある。そこで、受信された信号がＱＰＳＫ変調信号である場合には、より低い品質値が得られた場合にも動作停止を指示する動作制御信号が生成されるように、判定の条件を変更する。これによると、わずかな装置コストの追加で受信装置の消費電力を低減する機会をより増やすことができる。
【産業上の利用可能性】
【００８１】
以上説明したように、本発明は、受信性能を保ちながら消費電力を削減することができるので、受信装置等について有用である。
【図１】
2009069305.tif 000003
【図２】
2009069305.tif 000004
【図３】
2009069305.tif 000005
【図４】
2009069305.tif 000006
【図５】
2009069305.tif 000007
【図６】
2009069305.tif 000008
【図７】
2009069305.tif 000009
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
伝送路を経由して伝送された信号を受信する受信装置であって、
等化部と、
前記受信信号の第１の品質値を求める第１の品質算出部とを備え、
前記等化部は、
第１の推定方式を用いて、前記伝送路の第１の伝送路特性を前記受信信号から推定する第１の伝送路特性推定部と、
第２の推定方式を用いて、前記伝送路の第２の伝送路特性を前記受信信号から推定する第２の伝送路特性推定部とを有し、かつ、
前記第１又は第２の伝送路特性を用いて前記受信信号を等化して出力し、
前記第２の伝送路特性推定部は、前記第１の品質値に従って、前記第２の伝送路特性推定部の少なくとも一部の動作を停止する
ことを特徴とする受信装置。
【請求項２】
請求項１に記載の受信装置において、
前記等化部は、方式制御部を更に有し、
前記第２の伝送路特性推定部は、所定の複数の推定方式の中から順次指定される前記第２の推定方式に対応する伝送路特性を、前記第２の伝送路特性として求め、
前記方式制御部は、前記第２の伝送路特性に基づいて、前記所定の複数の推定方式のうち、最良の推定方式を選択し、前記選択された推定方式を前記第１の伝送路特性推定部に通知し、
前記第１の伝送路特性推定部は、前記方式制御部から通知された推定方式を前記第１の推定方式として用いて前記第１の伝送路特性を推定し、
前記等化部は、前記第１の伝送路特性を用いて前記受信信号を等化する
ことを特徴とする受信装置。
【請求項３】
請求項２に記載の受信装置において、
前記方式制御部は、前記第１の品質値に従って、前記方式制御部の少なくとも一部の動作を停止する
ことを特徴とする受信装置。
【請求項４】
請求項１に記載の受信装置において、
前記等化部は、
前記第１及び第２の伝送路特性のそれぞれに対応する品質値のいずれが良好な品質値を示すかを判定する品質判定部を有し、かつ、
前記第１及び第２の伝送路特性のうち、前記品質判定部の判定結果が示す伝送路特性を用いて、前記受信信号を等化する
ことを特徴とする受信装置。
【請求項５】
請求項４に記載の受信装置において、
前記品質判定部は、前記第１の品質値に従って、前記品質判定部の少なくとも一部の動作を停止する
ことを特徴とする受信装置。
【請求項６】
請求項４に記載の受信装置において、
前記受信信号及び前記第２の伝送路特性を用いて第２の品質値を算出する第２の品質算出部を更に備え、
前記第１の伝送路特性推定部は、前記第２の品質値に従って、前記第１の伝送路特性推定部の少なくとも一部の動作を停止する
ことを特徴とする受信装置。
【請求項７】
請求項６に記載の受信装置において、
前記第２の伝送路特性推定部は、前記第１の品質値が所定値以上であり、かつ、前記第１の品質値が前記第２の品質値以上である場合には、前記第２の伝送路特性推定部の少なくとも一部の動作を停止し、
前記第１の伝送路特性推定部は、前記第２の品質値が所定値以上であり、かつ、前記第２の品質値が前記第１の品質値より大きい場合には、前記第１の伝送路特性推定部の少なくとも一部の動作を停止する
ことを特徴とする受信装置。
【請求項８】
請求項６に記載の受信装置において、
前記品質判定部は、前記第１及び第２の品質値に従って、前記品質判定部の少なくとも一部の動作を停止する
ことを特徴とする受信装置。
【請求項９】
請求項１に記載の受信装置において、
前記第１の品質算出部は、前記第１の伝送路特性を用いて前記第１の品質値を求める
ことを特徴とする受信装置。
【請求項１０】
請求項１に記載の受信装置において、
前記等化部で等化された信号に対して誤り訂正処理を行い、誤り訂正されたビット数を出力する誤り訂正部を更に備え、
前記第１の品質算出部は、前記誤り訂正されたビット数に基づいて前記第１の品質値を求める
ことを特徴とする受信装置。
【請求項１１】
請求項１に記載の受信装置において、
前記第２の伝送路特性推定部は、前記第１の品質値が所定値以上の場合に、前記第２の伝送路特性推定部の少なくとも一部の動作を停止する
ことを特徴とする受信装置。
【請求項１２】
請求項１に記載の受信装置において、
前記第２の伝送路特性推定部は、前記第２の伝送路特性の推定に用いられる演算器を有し、かつ、
前記演算器へのクロックの供給を停止することによって前記第２の伝送路特性推定部の少なくとも一部の動作を停止する
ことを特徴とする受信装置。
【請求項１３】
請求項１に記載の受信装置において、
前記第２の伝送路特性推定部は、前記第２の伝送路特性の推定に用いられる演算器を有し、かつ、
前記演算器への入力信号のレベルを固定することによって前記第２の伝送路特性推定部の少なくとも一部の動作を停止する
ことを特徴とする受信装置。
【請求項１４】
請求項１に記載の受信装置において、
前記第２の伝送路特性推定部は、前記第２の伝送路特性の推定に用いられる演算器を有し、かつ、
前記演算器の動作を制御するイネーブル信号のレベルを、動作を停止すべきことを示すレベルにすることによって、前記第２の伝送路特性推定部の少なくとも一部の動作を停止する
ことを特徴とする受信装置。
【請求項１５】
伝送路を経由して伝送された信号を受信する受信方法であって、
第１の推定方式を用いて、前記伝送路の第１の伝送路特性を前記受信信号から推定し、
第２の推定方式を用いて、前記伝送路の第２の伝送路特性を前記受信信号から推定し、
前記第１又は第２の伝送路特性を用いて前記受信信号を等化し、
前記受信信号の第１の品質値を求め、
前記第１の品質値に従って、前記第２の伝送路特性を推定する処理の少なくとも一部を停止する
ことを特徴とする受信方法。
【手続補正２】
【補正対象書類名】明細書
【補正対象項目名】全文
【補正方法】変更
【補正の内容】
【発明の詳細な説明】
【技術分野】
【０００１】
本発明は、デジタル変調された信号を受信して復調する受信装置に関する。
【背景技術】
【０００２】
日本及び欧州での地上デジタルテレビジョン放送においては、伝送方式としてＯＦＤＭ（Orthogonal Frequency Division Multiplexing）が用いられている。ＯＦＤＭでは、互いに直交する複数の搬送波（キャリア）によって、映像や音声などの情報が伝送される。
【０００３】
一般にＯＦＤＭでは、伝送されるデータに加えて、分散パイロット信号（ＳＰ：Scattered Pilot）が送信される。その一例として、図２は、日本の地上デジタルテレビジョン放送方式における伝送フォーマットの一部を示している。図２において、白丸はデータキャリア、黒丸はＳＰを示す。ＳＰの振幅、位相、挿入位置は既知であるので、受信側ではこのＳＰを用いて伝送路で生じたマルチパスなどによる歪の影響（伝送路特性）を推定し、この影響を除去すること（等化）が一般的に行われている。
【０００４】
ＳＰを用いてデータキャリアに対応する等化を行う場合には、受信したＯＦＤＭ信号をＦＦＴ（Fast Fourier Transform）によって周波数領域の信号に変換し、既知であるＳＰに対応する伝送路特性を求める。更に、ＳＰに対応する伝送路特性をフィルタにより補間してＳＰ間の各データキャリアに対応する伝送路特性を推定し、求められた伝送路特性によって周波数領域のＯＦＤＭ信号を除算することが行われている。
【０００５】
伝送路特性の推定方式としては次のような方式が知られている。
（Ｉ）シンボル方向（時間方向）にいったん補間した後に、キャリア方向（周波数方向）に補間する方式。
（ＩＩ）キャリア方向（周波数方向）のみの補間を行う方式。
【０００６】
ところで、補間方法及び補間に用いるフィルタの特性によっては、加法性白色ガウス雑音（ＡＷＧＮ：Additive White Gaussian Noise）、マルチパス、フェージングなどの条件が異なる受信環境ごとに、伝送路特性の推定結果が大きく異なる場合がある。
【０００７】
このため、想定される様々な受信環境にそれぞれが適した複数の補間方法やフィルタを受信側で予め用意しておき、受信環境に応じてこれらの補間方法やフィルタの中から最適なものを選択し、等化処理に用いる技術が知られている。
【０００８】
例えば特許文献１には、前記（Ｉ）及び（ＩＩ）にそれぞれ対応する伝送路特性の推定手段を有し、これらを状態に応じて適宜切り替えて用いる受信装置が記載されている。
【０００９】
特許文献２には、前記（Ｉ）に対応する伝送路特性の推定手段において、キャリア方向の補間フィルタとして特性の異なる複数のフィルタを有し、これらを状態に応じて適宜切り替えて用いる技術が記載されている。
【先行技術文献】
【特許文献】
【００１０】
【特許文献１】特開２００６−１４０９８７号公報
【特許文献２】特開２００６−３１１３８５号公報
【発明の概要】
【発明が解決しようとする課題】
【００１１】
しかしながら、複数の伝送路特性の推定手段が同時に動作すると、受信装置の消費電力が大きくなってしまう。また、伝送路特性の推定手段の個数が増えるに連れてこの傾向は高くなる。このことは、このような受信装置が例えば携帯受信機に用いられる場合には、バッテリーの持続時間を減少させる原因となる。
【００１２】
本発明は、伝送路特性を複数の方式で推定することができる受信装置において、受信性能を保ちながら消費電力を削減することを目的とする。
【課題を解決するための手段】
【００１３】
本発明の例示的実施形態に係る受信装置は、伝送路を経由して伝送された信号を受信する受信装置であって、等化部と、前記受信信号の第１の品質値を求める第１の品質算出部とを有する。前記等化部は、第１の推定方式を用いて、前記伝送路の第１の伝送路特性を前記受信信号から推定する第１の伝送路特性推定部と、第２の推定方式を用いて、前記伝送路の第２の伝送路特性を前記受信信号から推定する第２の伝送路特性推定部とを有し、かつ、前記第１又は第２の伝送路特性を用いて前記受信信号を等化して出力する。前記第２の伝送路特性推定部は、前記第１の品質値に従って、前記第２の伝送路特性推定部の少なくとも一部の動作を停止する。
【００１４】
これによると、受信信号の品質値に従って第２の伝送路特性推定部がその少なくとも一部の動作を停止するので、動作する必要がない場合にのみ、第２の伝送路特性推定部を停止させることが可能になり、受信装置の受信性能を保ちながら消費電力を削減することができる。
【００１５】
本発明の例示的実施形態に係る受信方法は、伝送路を経由して伝送された信号を受信する受信方法であって、第１の推定方式を用いて、前記伝送路の第１の伝送路特性を前記受信信号から推定し、第２の推定方式を用いて、前記伝送路の第２の伝送路特性を前記受信信号から推定し、前記第１又は第２の伝送路特性を用いて前記受信信号を等化し、前記受信信号の第１の品質値を求め、前記第１の品質値に従って、前記第２の伝送路特性を推定する処理の少なくとも一部を停止する。
【発明の効果】
【００１６】
本発明の例示的実施形態によれば、受信性能を保ちながら消費電力を削減することを低コストで行うことができる。
【図面の簡単な説明】
【００１７】
【図１】本発明の第１の実施形態に係る受信装置の構成を示すブロック図である。
【図２】ＯＦＤＭ信号の伝送フォーマットの一例を示す説明図である。
【図３】図１の動作制御部に制御される伝送路特性推定部が有する演算器の例を示すブロック図である。
【図４】本発明の第１の実施形態の変形例に係る受信装置の構成を示すブロック図である。
【図５】本発明の第２の実施形態に係る受信装置の構成を示すブロック図である。
【図６】本発明の第２の実施形態の変形例に係る受信装置の構成を示すブロック図である。
【図７】本発明の第３の実施形態に係る受信装置の構成を示すブロック図である。
【発明を実施するための形態】
【００１８】
以下、本発明の実施の形態について、図面を参照しながら説明する。
【００１９】
（第１の実施形態）
図１は、本発明の第１の実施形態に係る受信装置の構成を示すブロック図である。図１の受信装置は、チューナ２と、Ａ／Ｄ変換部３と、直交復調部４と、ＦＦＴ部５と、等化部６と、誤り訂正部７と、情報源復号部８と、出力部９と、品質算出部１２と、動作制御部１４とを有している。
【００２０】
アンテナ１は、送信アンテナとアンテナ１との間の伝送路を経由して伝送されたＲＦ（Radio Frequency）帯のＯＦＤＭ信号を受信し、この受信信号をチューナ２へ供給する。チューナ２はアンテナ１より供給されたＲＦ帯のＯＦＤＭ信号から所望のチャネルのＯＦＤＭ信号を抽出し、更に抽出されたＯＦＤＭ信号を周波数変換して、得られたＩＦ帯のＯＦＤＭ信号をＡ／Ｄ変換部３に出力する。Ａ／Ｄ変換部３は、チューナ２から出力されたＩＦ帯のＯＦＤＭ信号に対してアナログ信号からデジタル信号への変換を行って、直交復調部４に出力する。
【００２１】
直交復調部４は、Ａ／Ｄ変換部３から出力されたデジタル化されたＩＦ帯のＯＦＤＭ信号に対して周波数変換を行い、その結果をベースバンドのＯＦＤＭ信号としてＦＦＴ部５に出力する。ＦＦＴ部５は、直交復調部４から出力されたベースバンドのＯＦＤＭ信号に対して、ＦＦＴ（高速フーリエ変換）によって時間領域の信号から周波数領域の信号への変換を行い、その結果を周波数領域のＯＦＤＭ信号ＦＳとして等化部６に出力する。
【００２２】
図２は、ＯＦＤＭ信号の伝送フォーマットの一例を示す説明図である。図２は、周波数領域のＯＦＤＭ信号をシンボル単位で示しており、白丸はデータキャリアＤＴ、黒丸はＳＰ（Scattered Pilot）を示す。
【００２３】
等化部６は、受信した信号が経てきた伝送路の周波数特性（以下、伝送路特性と呼ぶ）を推定し、推定された伝送路特性を用いて、ＦＦＴ部５から出力された周波数領域のＯＦＤＭ信号ＦＳからマルチパス、フェージング等に起因する波形歪を除去（等化）する。等化部６は、等化して得られた結果を等化信号として誤り訂正部７に出力し、処理に用いた信号の一部を品質算出部１２に出力する。
【００２４】
品質算出部１２は、等化部６から出力された信号に従って、受信信号の品質値を算出する。本実施形態では、周波数領域のＯＦＤＭ信号ＦＳと等化部６で推定された伝送路特性とに基づいて品質値を求め、動作制御部１４に出力する。動作制御部１４は、品質算出部１２から出力された品質値に応じて動作制御信号ＣＴを生成し、等化部６に出力する。等化部６は、その構成要素の一部の動作を動作制御信号ＣＴに従って停止する。
【００２５】
誤り訂正部７は、等化部６から出力された等化信号に対してデマッピング、デインターリーブ、ビタビ復号、リードソロモン復号などの各種誤り訂正処理を行い、得られた結果をトランスポートストリームとして情報源復号部８に出力する。情報源復号部８は、誤り訂正部７から出力されたトランスポートストリームを、映像ストリームや音声ストリーム、更にその他のデータストリームに分離し、これらのストリームがＭＰＥＧ（Moving Picture Experts Group）符号化などによって圧縮されている場合には伸張処理を行い、その結果を映像信号、音声信号及びその他のデータとして出力部９に出力する。出力部９は、ディスプレイ及びスピーカーを有しており、情報源復号部８から出力された映像信号のディスプレイへの表示、音声信号のスピーカーへの出力、及びその他のデータの外部装置への出力を行う。
【００２６】
図１の受信装置について更に詳細に説明する。等化部６は、伝送路特性推定部６１及び６２と、除算部６３と、方式制御部６４とを有している。方式制御部６４は、所定の複数の伝送路特性推定方式の中から１つを指定する方式制御信号ＥＣ２を伝送路特性推定部６２に出力する。
【００２７】
伝送路特性推定部６２は、方式制御部６４から出力された方式制御信号ＥＣ２に従って、所定の複数の推定方式の中から１つを選択し、データキャリアに対応する伝送路特性を、選択された推定方式を用いて受信信号（周波数領域のＯＦＤＭ信号ＦＳ）からフィルタ等を用いて推定する。伝送路特性推定部６２は、推定された伝送路特性ＣＲ２を方式制御部６４に出力する。
【００２８】
方式制御部６４は、受け取った伝送路特性ＣＲ２と周波数領域のＯＦＤＭ信号ＦＳとを用いて、伝送路特性推定部６２に指定した推定方式に対応する品質値を算出する。方式制御部６４は、例えば、周波数領域のＯＦＤＭ信号ＦＳを伝送路特性ＣＲ２で等化し、得られた信号について、信号点の基準点からの分散を品質値として求める。本明細書において、信号点の基準点とは、直交座標平面上における理想シンボル点のことである。
【００２９】
方式制御部６４は、指定する推定方式を順次切り替えながら以上のような動作を繰り返す。すなわち、伝送路特性推定部６２は、所定の複数の推定方式の中から順次指定される推定方式に対応する伝送路特性を求める。方式制御部６４は、指定された複数の推定方式のそれぞれに対応する品質値を算出する。方式制御部６４は、すべての推定方式のそれぞれに対応する品質値を算出し終えると、それらの中で最も良好な品質値に対応する推定方式を選択し、この選択された推定方式を指定する方式制御信号ＥＣ１を出力することによって、選択された推定方式を伝送路特性推定部６１に通知する。言い換えると、方式制御部６４は、伝送路特性推定部６２で求められた伝送路特性に基づいて、所定の複数の推定方式のうち、最良の推定方式を選択し、選択された推定方式を伝送路特性推定部６１に通知する。
【００３０】
伝送路特性推定部６１は、方式制御部６４から出力された方式制御信号ＥＣ１に従って、所定の複数の推定方式の中から通知された１つを選択し、データキャリアに対応する伝送路特性を、選択された推定方式を用いて受信信号（周波数領域のＯＦＤＭ信号ＦＳ）からフィルタ等を用いて推定する。伝送路特性推定部６１は、推定された伝送路特性ＣＲ１を除算部６３及び品質算出部１２に出力する。
【００３１】
除算部６３は、周波数領域のＯＦＤＭ信号ＦＳを、伝送路特性推定部６１から出力された伝送路特性ＣＲ１で除算することにより、等化、すなわち伝送路で生じた波形歪の除去を行う。除算部６３は、等化の結果を等化信号として誤り訂正部７に出力する。なお、ＯＦＤＭ信号ＦＳの変調方式が、ＱＰＳＫ（Quaternary Phase Shift Keying）のように振幅で情報が伝送されない変調方式である場合には、伝送路特性ＣＲ１で除算する代わりに、伝送路特性ＣＲ１の共役複素数を乗算するようにしてもよい。この場合には、除算部６３を省略することができる。
【００３２】
伝送路特性推定部６１，６２において用いられる伝送路特性の推定方式は、いずれも基本的には、まず受信信号に含まれるＳＰに対応する伝送路特性を求め、ＳＰに対応する伝送路特性をシンボル方向（時間方向）及びキャリア方向（周波数方向）に補間することによりデータキャリアに対する伝送路特性を求める方式である。なお、シンボル方向の補間をせずキャリア方向の補間のみを行ってもよい。推定方式としては、想定される様々な伝送路状況にそれぞれ適した複数の方式の中から推定特性の互いに異なる（例えばフィルタ係数等が互いに異なる）方式を選んでおくのがよい。
【００３３】
例えば、シンボル方向の補間フィルタの特性が異なる複数の方式、キャリア方向の補間フィルタの特性が異なる複数の方式、及びシンボル方向の補間をせずキャリア方向の補間のみを行う方式などから、想定される伝送路状況に適した複数の方式を選択しておく。すると、様々な受信環境に応じた適切な伝送路特性の推定方式が選択され、適切に求められた伝送路特性による等化が行われるので、高い復調及び誤り訂正能力が得られる。
【００３４】
品質算出部１２は、伝送路特性推定部６１で推定された伝送路特性ＣＲ１及び周波数領域のＯＦＤＭ信号ＦＳとから受信信号の品質値を算出し、算出結果を動作制御部１４に出力する。品質算出部１２は、例えば、周波数領域のＯＦＤＭ信号ＦＳを伝送路特性ＣＲ１で等化し、得られた信号について、信号点の基準点からの分散を品質値として求める。この場合、品質値を求めるための装置コストは大きくない。除算部６３で等化に用いられる伝送路特性ＣＲ１を用いて品質値が求められるので、安定した品質値の算出が可能となる。
【００３５】
動作制御部１４は、品質算出部１２から出力された品質値が所定値以上である場合には、受信信号の品質が良好であると判定し、動作停止を指示する動作制御信号ＣＴを生成し、伝送路特性推定部６２及び方式制御部６４に出力する。
【００３６】
伝送路特性推定部６２は、演算器を有している。伝送路特性推定部６２は、動作制御信号ＣＴが動作停止を指示している場合には、少なくとも一部の動作を停止する。すなわちこの場合、伝送路特性推定部６２は、伝送路特性の推定に必要なフィルタ演算などの処理を停止したり、演算器に供給するクロックを停止したり、あるいはフィルタ演算のための演算器への入力信号のレベルを（例えば値０を表すレベルに）固定する。
【００３７】
図３は、図１の動作制御部に制御される伝送路特性推定部６２が有する演算器の例を示すブロック図である。図３の演算器６８は、伝送路特性の推定のためのフィルタ演算を行う演算器であって、ｎ個（ｎは自然数）の遅延器Ｄ１，Ｄ２，…，Ｄｎと、ｎ＋１個の乗算器Ｘ１，Ｘ２，…，Ｘｎ＋１と、加算器Ｓ１とを有している。遅延器Ｄ１〜Ｄｎのそれぞれには、イネーブル信号ＥＮＳとクロックＣＬＫとが入力されている。
【００３８】
遅延器Ｄ１はフィルタ入力データＦＩを遅延させ、次段の遅延器Ｄ２に出力する。遅延器Ｄ２は遅延器Ｄ１の出力データを遅延させ、次段の遅延器に出力する。その他の遅延器も同様に前段の遅延器の出力を遅延させて出力する。乗算器Ｘ１〜Ｘｎ＋１には、フィルタ係数Ｃ１〜Ｃｎ＋１がそれぞれ対応している。乗算器Ｘ２〜Ｘｎ＋１には、遅延器Ｄ１〜Ｄｎの出力がそれぞれ入力されている。乗算器Ｘ１は、フィルタ入力データＦＩとフィルタ係数Ｃ１との乗算を行い、得られた積を加算器Ｓ１に出力する。乗算器Ｘ２〜Ｘｎ＋１は、それぞれに入力された遅延器Ｄ１〜Ｄｎの出力と、それぞれに対応するフィルタ係数Ｃ２〜Ｃｎ＋１との乗算を行い、得られた積を加算器Ｓ１に出力する。加算器Ｓ１は、各乗算器Ｘ１〜Ｘｎ＋１からの積の総和を求め、その結果をフィルタ出力データＦＲとして出力する。
【００３９】
伝送路特性推定部６２は、動作制御信号ＣＴが動作停止を指示している場合には、例えば、遅延器Ｄ１〜Ｄｎの動作を制御するイネーブル信号ＥＮＳのレベルを、動作を停止すべきことを示すレベルにしたり、遅延器Ｄ１〜ＤｎへのクロックＣＬＫの供給を停止したり、フィルタ入力データＦＩを固定する（例えば０に固定する）。すると、演算器６８の各構成要素の動作を停止させることができ、その結果、伝送路特性推定部６２が消費する電力を低減させることができる。
【００４０】
方式制御部６４は、演算器を有している。同様に、方式制御部６４は、動作制御信号ＣＴが動作停止を指示している場合には、少なくとも一部の動作を停止する。すなわちこの場合、方式制御部６４は、品質値の算出演算などの処理を停止したり、演算器に供給するクロックを停止したり、あるいは品質値の算出演算のために演算器に入力される入力信号のレベルを（例えば値０を表すレベルに）固定する。方式制御部６４の演算器も、例えば図３の演算器と同様に構成されており、図３の演算器と同様に制御される。
【００４１】
また、ＡＷＧＮ、マルチパスなどの外乱が伝送路に存在する場合や、移動受信時には、品質算出部１２から出力される品質値が所定値未満となることがある。この場合には、動作制御部１４は、受信信号の品質が良好ではないと判定し、動作するように指示する動作制御信号ＣＴを生成する。このとき、伝送路特性推定部６２及び方式制御部６４は、通常通り演算などの処理を行う。伝送路特性推定部６２及び方式制御部６４によって伝送路状態に応じた適切な伝送路特性の推定方式が決定され、その推定方式によって求められた伝送路特性を用いて除算部６３が等化を行うので、等化された信号の質を保ち、誤りを抑えることができる。
【００４２】
以上のように本実施形態によると、伝送路の状態が比較的良好な場合には、品質算出部１２は品質値が良好であると判定し、動作制御部１４では動作停止を指示する動作制御信号ＣＴが生成される。このとき、伝送路特性推定部６２及び方式制御部６４は、演算器の動作の停止、又は演算器の動作の実効的な停止をするので、演算などの処理に要する消費電力を低減することができる。
【００４３】
（第１の実施形態の変形例）
図４は、本発明の第１の実施形態の変形例に係る受信装置の構成を示すブロック図である。図４の受信装置は、誤り訂正部７及び品質算出部１２に代えて誤り訂正部７Ｂ及び品質算出部１２Ｂを有する点が、図１の受信装置とは異なっている。誤り訂正部７Ｂは、誤り訂正されたビットの数を訂正ビット数ＣＢとして品質算出部１２Ｂに出力する。誤り訂正部７Ｂは、その他の点は誤り訂正部７と同様に動作する。
【００４４】
品質算出部１２Ｂは、訂正ビット数ＣＢを積算し、得られた積算値に基づいて受信信号の品質値を求め、動作制御部１４に出力する。品質算出部１２Ｂは、例えば、積算値が所定値未満である場合には品質値を閾値以上の値とし、積算値が所定値以上である場合には品質値を閾値未満の値とする。ここで、品質算出部１２Ｂは、積算値のみに基づいて品質値を求めてもよいし、品質算出部１２と同様に、伝送路特性推定部６１で推定された伝送路特性ＣＲ１及び周波数領域のＯＦＤＭ信号ＦＳとから受信信号の品質値を算出し、この品質値と積算値に基づく品質値とのうちの小さい方の値を出力してもよい。
【００４５】
訂正ビット数ＣＢに基づいて求められた品質値には、ＯＦＤＭ信号で伝送された映像等の情報の品質が反映されやすいので、図４の受信装置によると、より品質の高い映像等の情報を得ることができる。
【００４６】
（第２の実施形態）
図５は、本発明の第２の実施形態に係る受信装置の構成を示すブロック図である。図５の受信装置は、等化部６、品質算出部１２及び動作制御部１４に代えて、等化部２０６、品質算出部２１２及び動作制御部２１４を有する点が、図１の受信装置とは異なっている。その他の構成要素については図１の受信装置と同様であるので、同一の参照番号を付してその説明を省略する。
【００４７】
図５の等化部２０６は、伝送路特性推定部２６１，２６２と、除算部２６３，２６４と、品質判定部２６５と、選択部２６６とを有している。伝送路特性推定部２６１と伝送路特性推定部２６２とは、互いに異なる所定の推定方式を用いて受信信号（周波数領域のＯＦＤＭ信号ＦＳ）からデータキャリアに対応する伝送路特性ＣＲ２１，ＣＲ２２をそれぞれ算出する。
【００４８】
除算部２６３は、ＦＦＴ部５から出力された周波数領域のＯＦＤＭ信号ＦＳを伝送路特性ＣＲ２１で除することにより等化、すなわち伝送路で生じた波形歪の除去を行う。除算部２６３は、等化の結果を等化信号ＥＳ１として選択部２６６に出力する。除算部２６４は、周波数領域のＯＦＤＭ信号ＦＳを伝送路特性ＣＲ２２で除することにより等化し、その結果を等化信号ＥＳ２として選択部２６６に出力する。
【００４９】
品質判定部２６５は、まず、周波数領域のＯＦＤＭ信号ＦＳと伝送路特性ＣＲ２１とから、伝送路特性ＣＲ２１に対応する、受信信号の品質値を算出する。品質判定部２６５は、同様に、周波数領域のＯＦＤＭ信号ＦＳと伝送路特性ＣＲ２２とから、伝送路特性ＣＲ２２に対応する、受信信号の品質値を算出する。この際、品質判定部２６５は、例えば、周波数領域のＯＦＤＭ信号ＦＳを伝送路特性ＣＲ２１又はＣＲ２２で等化し、得られた信号について、信号点の基準点からの分散を品質値として求める。
【００５０】
更に品質判定部２６５は、伝送路特性ＣＲ２１，ＣＲ２２のそれぞれに対応する品質値のいずれが良好な品質値を示すかを判定し、伝送路特性ＣＲ２１，ＣＲ２２のうち良い方の品質値に対応するものを示す選択信号を選択部２６６に出力する。選択部２６６は、等化信号ＥＳ１，ＥＳ２のうち、品質判定部２６５から出力された選択信号が示す伝送路特性を用いて求められた方を選択し、選択結果を等化信号として誤り訂正部７に出力する。言い換えると、等化部２０６は、伝送路特性ＣＲ２１，ＣＲ２２のうち、品質判定部２６５の判定結果が示す伝送路特性を用いて、受信信号を等化する。
【００５１】
伝送路特性推定部２６１，２６２において用いられる伝送路特性の推定方式は、いずれも基本的には、まず受信信号に含まれるＳＰに対応する伝送路特性を求め、ＳＰに対応する伝送路特性をシンボル方向及びキャリア方向に補間することによりデータキャリアに対する伝送路特性を求める方式である。なお、シンボル方向の補間をせずキャリア方向の補間のみを行ってもよい。推定方式としては、想定される様々な伝送路状況にそれぞれ適した複数の方式の中から推定特性の互いに異なる（例えばフィルタ係数等が互いに異なる）方式を選んでおくのがよい。
【００５２】
例えば、シンボル方向の補間フィルタの特性が異なる複数の方式、キャリア方向の補間フィルタの特性が異なる複数の方式、及びシンボル方向の補間をせずキャリア方向の補間のみを行う方式などから、想定される伝送路状況に適した互いに異なる方式を伝送路特性推定部２６１，２６２のそれぞれのために１方式ずつ選択しておく。すると、様々な受信環境に応じた適切な伝送路特性の推定方式が選択され、適切に求められた伝送路特性による等化が行われるので、高い復調及び誤り訂正能力が得られる。
【００５３】
品質算出部２１２は、伝送路特性推定部２６１で推定された伝送路特性ＣＲ２１及び周波数領域のＯＦＤＭ信号ＦＳとから、図１の品質算出部１２と同様に受信信号の品質値を算出し、算出結果を動作制御部２１４に出力する。
【００５４】
動作制御部２１４は、品質算出部２１２から出力される品質値が所定値以上である場合には、受信信号の品質が良好であると判定し、動作停止を指示する動作制御信号ＣＴ２を生成し、伝送路特性推定部２６２、除算部２６４及び品質判定部２６５に出力する。動作制御信号ＣＴ２が動作停止を指示する場合には、品質判定部２６５は、伝送路特性ＣＲ２１を示す選択信号を選択部２６６に出力する。
【００５５】
伝送路特性推定部２６２は、演算器を有している。伝送路特性推定部２６２は、動作制御信号ＣＴ２が動作停止を指示している場合には、少なくとも一部の動作を停止する。すなわちこの場合、伝送路特性推定部６２は、伝送路特性の推定に必要なフィルタ演算などの処理を停止したり、演算器に供給するクロックを停止したり、あるいはフィルタ演算のための演算器への入力信号のレベルを（例えば値０を表すレベルに）固定する。
【００５６】
除算部２６４は、演算器を有している。同様に、除算部２６４は、動作制御信号ＣＴ２が動作停止を指示している場合には、少なくとも一部の動作を停止する。すなわちこの場合、除算部２６４は、除算処理を停止したり、演算器に供給するクロックを停止したり、あるいは除算のために演算器に入力される入力信号のレベルを（例えば値０を表すレベルに）固定する。
【００５７】
品質判定部２６５は、演算器を有している。同様に、品質判定部２６５は、動作制御信号ＣＴ２が動作停止を指示している場合には、少なくとも一部の動作を停止する。すなわちこの場合、品質判定部２６５は、品質値の算出演算などの処理を停止したり、演算器に供給するクロックを停止したり、あるいは品質値の算出演算のために演算器に入力される入力信号のレベルを（例えば値０を表すレベルに）固定する。伝送路特性推定部２６２、除算部２６４、及び品質判定部２６５の演算器も、例えば図３の演算器と同様に構成されており、図３の演算器と同様に制御される。
【００５８】
品質算出部２１２から出力される品質値が所定値未満となる場合には、動作制御部２１４は、伝送路特性ＣＲ２１を用いることが適切ではないと判定し、動作するように指示する動作制御信号ＣＴ２を生成する。このとき、伝送路特性推定部２６２、除算部２６４及び品質判定部２６５は、通常通り演算などの処理を行う。品質判定部２６５によって伝送路状態に応じた適切な伝送路特性の推定方式が決定され、その推定方式によって求められた伝送路特性を用いて等化された信号が選択されるので、等化された信号の質を保ち、誤りを抑えることができる。
【００５９】
以上のように本実施形態によると、伝送路の状態が比較的良好な場合には、品質算出部２１２は品質値が良好であると判定し、動作制御部１４では動作停止を指示する動作制御信号ＣＴ２が生成される。このとき、伝送路特性推定部２６２、除算部２６４及び品質判定部２６５は、演算器の動作の停止、又は演算器の動作の実効的な停止をするので、演算などの処理に要する消費電力を低減することができる。
【００６０】
なお、本実施形態では、受信装置が２個の伝送路特性推定部２６１，２６２を有する場合について説明したが、受信装置が３個以上の伝送路特性推定部を有していてもよい。この場合、受信装置が、伝送路特性推定部と同数の除算部と、品質判定部２６５と同様に複数の伝送路特性推定部から選択を行う品質判定部とを有するようにすればよい。
【００６１】
また、本実施形態では、選択部２６６が除算部２６３，２６４の出力の一方を選択する場合について説明したが、等化部２０６が、伝送路特性ＣＲ２１，ＣＲ２２の一方を品質判定部２６５から出力される選択信号に従って選択し、選択された伝送路特性で周波数領域のＯＦＤＭ信号ＦＳを除算するようにしてもよい。
【００６２】
（第２の実施形態の変形例）
図６は、本発明の第２の実施形態の変形例に係る受信装置の構成を示すブロック図である。図６の受信装置は、誤り訂正部７及び品質算出部２１２に代えて誤り訂正部７Ｂ及び品質算出部２１２Ｂを有する点が、図５の受信装置とは異なっている。誤り訂正部７Ｂは、図４を参照して説明したものと同様に構成されている。
【００６３】
品質算出部２１２Ｂは、訂正ビット数ＣＢを積算し、得られた積算値に基づいて受信信号の品質値を求め、動作制御部２１４に出力する。品質算出部２１２Ｂは、例えば、積算値が所定値未満である場合には品質値を閾値以上の値とし、積算値が所定値以上である場合には品質値を閾値未満の値とする。ここで、品質算出部２１２Ｂは、積算値のみに基づいて品質値を求めてもよいし、品質算出部２１２と同様に、伝送路特性推定部２６１で推定された伝送路特性ＣＲ２１及び周波数領域のＯＦＤＭ信号ＦＳとから受信信号の品質値を算出し、この品質値と積算値に基づく品質値とのうちの小さい方の値を出力してもよい。
【００６４】
訂正ビット数ＣＢに基づいて求められた品質値には、ＯＦＤＭ信号で伝送された映像等の情報の品質が反映されやすいので、図６の受信装置によると、より品質の高い映像等の情報を得ることができる。
【００６５】
（第３の実施形態）
図７は、本発明の第３の実施形態に係る受信装置の構成を示すブロック図である。図７の受信装置は、等化部６、品質算出部１２及び動作制御部１４に代えて、等化部３０６、品質算出部３１２，３１３及び動作制御部３１４を有する点が、図１の受信装置とは異なっている。その他の構成要素については図１の受信装置と同様であるので、同一の参照番号を付してその説明を省略する。
【００６６】
図７の等化部３０６は、伝送路特性推定部３６１，３６２と、除算部３６３，３６４と、品質判定部３６５と、選択部３６６とを有している。伝送路特性推定部３６１と伝送路特性推定部３６２とは、互いに異なる所定の推定方式を用いて受信信号（周波数領域のＯＦＤＭ信号ＦＳ）からデータキャリアに対応する伝送路特性ＣＲ３１，ＣＲ３２をそれぞれ算出する。
【００６７】
除算部３６３は、ＦＦＴ部５から出力された周波数領域のＯＦＤＭ信号ＦＳを伝送路特性ＣＲ３１で除することにより等化、すなわち伝送路で生じた波形歪の除去を行う。除算部３６３は、等化の結果を等化信号ＥＳ３１として選択部３６６に出力する。除算部３６４は、周波数領域のＯＦＤＭ信号ＦＳを伝送路特性ＣＲ３２で除することにより等化し、その結果を等化信号ＥＳ３２として選択部３６６に出力する。
【００６８】
品質判定部３６５は、伝送路特性ＣＲ２１，ＣＲ２２に代えて伝送路特性ＣＲ３１，ＣＲ３２を用いて、図５の品質判定部２６５と同様に品質値を算出し、伝送路特性ＣＲ３１，ＣＲ３２のうち良い方の品質値に対応するものを示す選択信号を選択部３６６に出力する。選択部３６６は、等化信号ＥＳ３１，ＥＳ３２のうち、品質判定部３６５から出力された選択信号が示す伝送路特性を用いて求められた方を選択し、選択結果を等化信号として誤り訂正部７に出力する。
【００６９】
伝送路特性推定部３６１，３６２において用いられる伝送路特性の推定方式は、図５の伝送路特性推定部２６１，２６２と同様に選択される。
【００７０】
品質算出部３１２は、伝送路特性推定部３６１で推定された伝送路特性ＣＲ３１及び周波数領域のＯＦＤＭ信号ＦＳとから、図１の品質算出部１２と同様に受信信号の品質値ＱＡを算出し、算出結果を動作制御部３１４に出力する。品質算出部３１３は、伝送路特性推定部３６２で推定された伝送路特性ＣＲ３２及び周波数領域のＯＦＤＭ信号ＦＳとから、図１の品質算出部１２と同様に受信信号の品質値ＱＢを算出し、算出結果を動作制御部３１４に出力する。
【００７１】
動作制御部３１４は、品質算出部３１２，３１３から出力された品質値ＱＡ，ＱＢのいずれかが所定値以上である場合には、受信信号の品質が良好であると判定し、伝送路特性推定部３６１，３６２及び除算部３６３，３６４のうち、悪い方の品質値に対応するものと、品質判定部３６５との少なくとも一部を停止させるように動作制御信号を生成する。すなわち、動作制御部３１４は、品質値ＱＢが所定値以上であり、品質値ＱＢが品質値ＱＡより大きい場合には、動作停止を指示する動作制御信号ＣＴ３１，ＣＴ３３を生成し、品質値ＱＡが所定値以上であり、品質値ＱＡが品質値ＱＢ以上である場合には、動作停止を指示する動作制御信号ＣＴ３２，ＣＴ３３を生成する。
【００７２】
伝送路特性推定部３６１及び除算部３６３は、演算器を有している。伝送路特性推定部３６１及び除算部３６３は、動作制御信号ＣＴ３１が動作停止を指示している場合には、図５の伝送路特性推定部２６２及び除算部２６４と同様に少なくとも一部の動作を停止する。伝送路特性推定部３６２及び除算部３６４は、演算器を有している。伝送路特性推定部３６２及び除算部３６４は、動作制御信号ＣＴ３２が動作停止を指示している場合には、図５の伝送路特性推定部２６２及び除算部２６４と同様に少なくとも一部の動作を停止する。
【００７３】
品質判定部３６５は、演算器を有している。品質判定部３６５は、動作制御信号ＣＴ３３が動作停止を指示している場合には、図５の品質判定部２６５と同様に少なくとも一部の動作を停止する。特に、品質値ＱＢが所定値以上であり、品質値ＱＢが品質値ＱＡより大きい場合には、伝送路特性推定部３６１に対応する動作を停止するように指示する動作制御信号ＣＴ３３が出力されるので、品質判定部３６５は、伝送路特性推定部３６１に対応する品質値の算出動作を停止する。また、品質値ＱＡが所定値以上であり、品質値ＱＡが品質値ＱＢ以上である場合には、伝送路特性推定部３６３に対応する動作を停止するように指示する動作制御信号ＣＴ３３が出力されるので、品質判定部３６５は、伝送路特性推定部３６３に対応する品質値の算出動作を停止する。
【００７４】
品質値ＱＡ，ＱＢのうち、動作を継続している伝送路特性推定部に対応する品質値が所定値未満となる場合には、動作制御部３１４は、その伝送路特性推定部で求められた伝送路特性を用いることが適切ではないと判定し、動作するように指示する動作制御信号ＣＴ３１，ＣＴ３２，ＣＴ３３を生成する。このとき、伝送路特性推定部３６１，３６２、除算部３６３，２６４及び品質判定部３６５は、通常通り演算などの処理を行う。品質判定部３６５によって伝送路状態に応じた適切な伝送路特性の推定方式が決定され、その推定方式によって求められた伝送路特性を用いて等化された信号が選択されるので、等化された信号の質を保ち、誤りを抑えることができる。
【００７５】
以上のように本実施形態によると、伝送路の状態が比較的良好な場合には、演算などの処理に要する消費電力を低減することができる。更に、動作を継続させる伝送路特性推定部として、伝送路特性推定部３６１，３６２のうちのいずれを選択することもできるので、常に適切な伝送路特性を等化に用いることができる。
【００７６】
なお、本実施形態では、受信装置が２個の伝送路特性推定部３６１，３６２を有する場合について説明したが、受信装置が３個以上の伝送路特性推定部を有していてもよい。この場合、受信装置が、伝送路特性推定部と同数の除算部及び品質算出部と、品質判定部３６５と同様に複数の伝送路特性推定部から選択を行う品質判定部とを有するようにすればよい。
【００７７】
また、本実施形態では、選択部３６６が除算部３６３，３６４の出力の一方を選択する場合について説明したが、等化部３０６が、伝送路特性ＣＲ３１，ＣＲ３２の一方を品質判定部３６５から出力される選択信号に従って選択し、選択された伝送路特性で周波数領域のＯＦＤＭ信号ＦＳを除算するようにしてもよい。
【００７８】
また、以上の各実施形態では、一例としてＯＦＤＭ信号を受信する受信装置について説明したが、伝送路特性の推定手段を複数有して受信する受信装置であれば、他の形式の信号を受信する受信装置であってもよい。また、パイロット信号を用いずに伝送路特性を求めるようにしてもよい。
【００７９】
また、第１〜第３の実施形態の受信装置が、動作制御信号を生成する際の品質値に対する判定の条件を、受信する信号の伝送方式（すなわち、変調方式や誤り訂正符号化率など）に応じて適切に切り替えるようにしてもよい。
【００８０】
例として、受信装置が、ＱＰＳＫ変調信号及び１６ＱＡＭ（Quadrature Amplitude Modulation）変調信号のうちのいずれかを受信する場合について説明する。一般に、１６ＱＡＭ変調信号に比べて、ＱＰＳＫ変調信号は外乱に対する耐性が高い。このため、得られた品質値が同じであっても、受信された信号がＱＰＳＫ変調信号であれば伝送路特性の推定手段の動作を停止できるが、受信された信号が１６ＱＡＭ変調信号であれば停止できない場合がある。そこで、受信された信号がＱＰＳＫ変調信号である場合には、より低い品質値が得られた場合にも動作停止を指示する動作制御信号が生成されるように、判定の条件を変更する。これによると、わずかな装置コストの追加で受信装置の消費電力を低減する機会をより増やすことができる。
【産業上の利用可能性】
【００８１】
以上説明したように、本発明は、受信性能を保ちながら消費電力を削減することができるので、受信装置等について有用である。
【符号の説明】
【００８２】
６，２０６，３０６  等化部
７，７Ｂ  誤り訂正部
１２，１２Ｂ，２１２，２１２Ｂ，３１２，３１３  品質算出部
１４，２１４，３１４  動作制御部
６１，６２，２６１，２６２，３６１，３６２  伝送路特性推定部
６３，２６３，２６４，３６３，３６４  除算部
６４  方式制御部
２６５，３６５  品質判定部
２６６，３６６  選択部
【手続補正３】
【補正対象書類名】図面
【補正対象項目名】全図
【補正方法】変更
【補正の内容】
【図１】
2009069305.tif 000010
【図２】
2009069305.tif 000011
【図３】
2009069305.tif 000012
【図４】
2009069305.tif 000013
【図５】
2009069305.tif 000014
【図６】
2009069305.tif 000015
【図７】
2009069305.tif 000016
【国際調査報告】
2009069305.tif 000017
2009069305.tif 000018
2009069305.tif 000019
2009069305.tif 000020